(57)【要約】【課題】移動加入者局ユニットと複数の基地局送受信装置との間の送信を通信サービス対象地域全体にわたって維持するマルチセルラー通信システム。【解決手段】移動加入者局ユニットの各々は通信サービス対象地域全体を対象とする大域符号シードまたは隣接地域を対象とする常時更新符号シードのリストを有し、一つのセル基地局との通信リンクを維持しながらそれ以外の利用可能なセル基地局にアクセスするよう絶えずサーチする。切換え先候補セル基地局に問合せを送り信号授受する。移動加入者局ユニットからの所要送信電力のより少ない切換え先候補セル基地局を精密にモニタする。切換え前セル基地局が現在必要としている送信電力よりも低い送信電力で移動加入者局ユニットが首尾よく交信できたとき、その移動加入者局ユニットはその切換え先候補セル基地局送受信装置にハンドオフされる。【選択図】図６
2008029023.tif 000002
【特許請求の範囲】
【請求項１】
マルチセルラーCDMA通信システムにおいて、大域パイロット信号を送信する基地局と各々が関連づけられている複数の個別のセルの間を移動中に、前記基地局の一つと現行の通信リンクを維持している移動加入者局がセルハンドオフを制御する方法であって、
(a)前記現行の通信リンクの相手局でない複数の切換え先候補基地局からの複数の送信信号を受信する過程と、
(b)一つの切換え先候補基地局と関連づけられる送信信号を前記受信した送信信号から選択する過程と、
(c)前記選択された送信信号からの大域パイロット信号の捕捉を試みる過程と、
(d)前記大域パイロット信号が捕捉できなかった場合にもう一つの切換え先候補基地局と関連づけられる送信信号を前記受信した送信信号から選択する過程と、
(e)選択された切換え先候補基地局と関連づけられる大域パイロット信号を受信するまで前記過程(b)−(d)を繰り返す過程と、
(f)前記移動加入者局から前記選択された切換え先候補基地局への短いアクセス符号の送信中に前記移動加入者局の送信出力を漸増させる過程と、
(g)前記選択された切換え先候補基地局への送信電力をモニタする過程と、
(h)前記切換え先候補基地局からの転送信号を検出する過程と、
(i)前記選択された切換え先候補基地局への送信電力を前記現行の通信リンクへの送信電力と比較する過程と、
(j)前記選択された切換え先候補基地局への前記送信電力が前記現行の通信リンクへの送信電力以上である場合に前記過程(b)−(i)を繰り返すか、または前記選択された切換え先候補基地局に長いアクセスパイロット信号を送信して新たな通信リンクを設定する過程と、
(k)前記現行の通信リンクを放棄する過程と
を含む制御方法。
【請求項２】
前記新たな通信リンクが前記現行の通信リンクとなる過程をさらに含む請求項１記載の方法。
【請求項３】
前記受信した送信信号を選択する過程が、
(a)前記複数の切換え先候補基地局の一つと関連づけられる大域符号シードをメモリに蓄積ずみの複数の大域符号シードから選択する過程と、
(b)前記選択された大域符号シードを用いて大域パイロット信号をサーチする過程と、
(c)前記サーチを前記現行の通信リンクと前記選択された切換え先候補基地局との間の位相シフトの最大予測値まで行う過程と
を含む請求項２記載の方法。
【請求項４】
前記送信信号を前記移動加入者局と前記選択された切換え先候補基地局との間で同期させる過程をさらに含む請求項３記載の方法。
【請求項５】
前記同期させる過程が
(a)前記複数の切換え先候補基地局の一つと関連づけられる大域符号シードをメモリに蓄積ずみの複数の大域符号シードから選択する過程と、
(b)前記選択された大域符号シードを用いて前記切換え先候補基地局からの短い同期符号を捕捉する過程と、
(c)前記短い同期符号が捕捉できなかった場合にもう一つの切換え先候補基地局と関連づけられる受信ずみの送信信号を選択する過程と、
(d)選択された切換え先候補基地局と関連づけられる大域パイロット信号が受信されるまで前記過程(b)−(c)を繰り返す過程と、
(e)前記受信ずみの短い同期符号からの位相情報に基づき高速一斉送信チャンネルを捕捉する過程と、
(f)前記高速一斉送信チャンネルを捕捉できなかった場合にもう一つの切換え先候補基地局と関連づけられる受信ずみの送信信号を選択する過程と、
(g)選択された切換え先候補基地局と関連づけられる大域パイロット信号が受信されるまで前記過程(b)−(f)を繰り返す過程と、
(h)前記高速一斉送信チャンネルからの位相情報を用いて大域パイロット信号を捕捉する過程と
を含む請求項４記載の方法。
【請求項６】
マルチセルラーCDMA通信システムにおいて、大域パイロット信号を送信する基地局と各々が関連づけられている複数の個別のセルの間を移動中に、前記基地局の一つと現行の通信リンクを維持しセルハンドオフを制御する移動加入者局システムであって、
前記現行の通信リンクの相手局でない複数の切換え先候補基地局からの複数の送信信号を受信する手段と、
一つの切換え先候補基地局と関連づけられる送信信号を前記受信した送信信号から選択する手段と、
前記選択された送信信号からの大域パイロット信号の捕捉を試みる手段と、
前記大域パイロット信号が捕捉できなかった場合にもう一つの切換え先候補基地局と関連づけられる送信信号を前記受信した送信信号から選択する手段と、
前記移動加入者局から前記選択された切換え先候補基地局への短いアクセス符号の送信中に前記移動加入者局の送信出力を漸増させる手段と、
前記選択された切換え先候補基地局への送信電力をモニタする手段と、
前記切換え先候補基地局からの転送信号を検出する手段と、
前記選択された切換え先候補基地局への送信電力を前記現行の通信リンクへの送信電力と比較する手段と、
前記選択された切換え先候補基地局への前記送信電力が前記現行の通信リンクへの送信電力以上である場合に前記選択された切換え先候補基地局に長いアクセスパイロット信号を送信して新たな通信リンクを設定する手段と、
前記現行の通信リンクを放棄する手段と
を含む移動加入者局システム。
【請求項７】
前記新たな通信リンクが前記現行の通信リンクとなる請求項６記載のシステム。
【請求項８】
前記受信した送信信号を選択する手段が、
前記複数の切換え先候補基地局の一つと関連づけられる大域符号シードをメモリに蓄積ずみの複数の大域符号シードから選択する手段と、
前記選択された大域符号シードを用いて大域パイロット信号をサーチする手段と、
前記サーチを前記現行の通信リンクと前記選択された切換え先候補基地局との間の位相シフトの最大予測値まで行う手段と
を含む請求項７記載のシステム。
【請求項９】
前記送信信号を前記移動加入者局と前記選択された切換え先候補基地局との間で同期させる手段をさらに含む請求項８記載のシステム。
【請求項１０】
前記同期させる手段が
前記複数の切換え先候補基地局の一つと関連づけられる大域符号シードをメモリに蓄積ずみの複数の大域符号シードから選択する手段と、
前記選択された大域符号シードを用いて前記切換え先候補基地局からの短い同期符号を捕捉する手段と、
前記短い同期符号が捕捉できなかった場合にもう一つの切換え先候補基地局と関連づけられる受信ずみの送信信号を選択する手段と、
前記受信ずみの短い同期符号からの位相情報に基づき高速一斉送信チャンネルを捕捉する手段と、
前記高速一斉送信チャンネルを捕捉できなかった場合にもう一つの切換え先候補基地局と関連づけられる受信ずみの送信信号を選択する手段と、
前記高速一斉送信チャンネルからの位相情報を用いて大域パイロット信号を捕捉する手段と
を含む請求項９記載のシステム。
【発明の詳細な説明】
【技術分野】
【０００１】
この発明は概括的には通信システムに関する。より詳細にいうと、この発明はマルチセルラー通信環境において移動加入者局のためのセル相互間でのハンドオフを制御するシステムおよび方法に関する。
【背景技術】
【０００２】
ハンドオフ、すなわちチャンネル切換えは、移動加入者局がセル境界を越える際にその加入者局への通信信号を一つの基地局の送受信装置から次の基地局の送受信装置に切り換える機能を表す用語である。セルラー通信システムにおいては二つのハンドオフ方法、すなわちソフトハンドオフとハードハンドオフとがある。いずれのハンドオフ方法を用いても、移動加入者局がセル境界で基地局切換えを行う際に通話品質の劣化を生ずる。
【０００３】
ハードハンドオフはセル境界近傍で通常起こる。基地局は交信相手の移動加入者局からの受信信号電力を継続的に測定し、セル境界近傍の移動加入者局からの受信信号電力が定格値を下回ったかどうかを判定する。切換え先候補セル基地局へのハードハンドオフは進行中の通話を中断することなく瞬時に行われる。切換え先候補セル基地局における受信信号電力レベルは理想的なハンドオフの確実な実行に必要なレベルよりもずっと高い。切換え元セル基地局における受信電力レベルと切換え先セル基地局における受信電カレベルとの間のこの差が他の移動加入者局との間の干渉を生じさせ移動通信システムの容量を減少させる。
【０００４】
ソフトハンドオフは切換え元セル基地局および切換先セル基地局からの距離の所定の範囲内で継続して行われる。ソフトハンドオフ手法においては、移動加入者局はセル相互間の共通境界域近傍を移動する際に両方の基地局に接続される。切換えを行うか否かの決定は移動加入者局パイロット信号の受信に基づいて行う。切換え元セル基地局からの切換えをどの地点で行うかを電話局切換センターが決定する。切換え元セルおよび切換先セルの両基地局との同時並行交信を有限時間長にわたり継続しなければならない。
【０００５】
通常のCDMA通信システムでは複数の信号を同一の周波数帯で伝送する。周波数再使用は同一セル内の移動加入者局だけでなく他のすべてのセル内の移動加入者局にも適用される。同一周波数を用いるので、移動加入者局および基地局からの送信電力レベルは高精度でモニタしなければならない。電力レベル制御を厳密に行わなければ、全体としての干渉が増大し使用可能なチャンネルの総数が悪影響を受ける。すなわち、首尾良く送受信できる信号の数は全移動加入者局により使用中の総電力に関連する。
【発明の開示】
【発明が解決しようとする課題】
【０００６】
ソフトハンドオフ手法もハードハンドオフ手法もともに欠点を有する。ハードハンドオフ手法では瞬断率が高くなりやすい。ソフトハンドオフ手法は切換え元基地局からの送信のための資源と少なくとも一つの切換先候補基地局からの送信のための資源を重複させる必要がある。加入者局は二つの同時並行交信リンクを確立しなければならず、通常の二倍の送信電力を要する。送信電力の増加が電力および無線回線伝送容量の無駄を生じさせ、ハンドオフ実行時のシステム全体としての干渉を生じやすくする。CDMAシステムにおいては加入者局の各々からの送信電力の総和を情報伝達に必要な最小値に抑えて他の加入者局への干渉を最小に維持しなければならない。送信電力の注意深い制御は電池作動の移動加入者局ユニットの動作時間の延長にも寄与する。また、二つの基地局からの伝送に起因する遅延がほとんど同じでない場合は上記二重リンクからの信号の電話局切換センターにおけるダイバーシティ合成が難しい。
【０００７】
したがって、高効率で高速高信頼性のハンドオフ手法の開発が求められている。
【課題を解決するための手段】
【０００８】
この発明はセル境界を越えて移動中の加入者局と複数の基地局送受信装置との間の交信を維持するマルチセルラー通信システムに関する。移動加入者局の各々は通信システム全体を対象とする大域符号シードを有し、一つの基地局との信号授受を維持しながらそれ以外の利用可能な基地局へのアクセスを継続的にサーチする。切換先候補基地局はその移動加入者局に問合せを送るとともに信号授受を行う。その移動加入者局からの送信電力最小値で交信可能な切換先候補基地局を細かくモニタする。その移動加入者局が現在交信中の基地局の必要とする送信電力よりも低い送信電力で首尾よく交信できた場合は、その移動加入者局は切換先候補基地局送受信装置へのハンドオフを受ける決定を行う。
【０００９】
したがって、この発明の目的はマルチセルラー通信環境においてここのセル相互間でハンドオフを行うための効率的なシステムおよび方法を提供することである。
【００１０】
この発明のもう一つの目的はマルチセルラー通信システムにおいてセル相互間ハンドオフを移動加入者局がより簡単により低い干渉を伴って受けられるようにするシステムおよび方法を提供することである。
【００１１】
この発明の上記以外の目的および利点は好適な実施例の詳細な説明を読むことによって当業者に明らかになろう。
【発明を実施するための最良の形態】
【００１２】
同一構成要素を同一の参照数字を付けて示した図面を参照してこの発明を説明する。
【００１３】
この発明のハンドオフシステムおよびハンドオフ方法１５を図解したシステム概略図を図１および図２に示す。マルチセルラー通信システム１５の四つのセル１７，１９，２１，２３をそれぞれの基地局送受信装置１７'，１９'，２１'，２３'とともに示してある。図示を明確にするために、各セルは非セクタセルとして示してある。移動加入者局ユニット２５をセル１７および２１の間の共通境界近傍に示してある。
【００１４】
移動加入者局ユニット２５が第１の基地局送受信装置１７'と交信しているとすると、ユニット２５は、一つのセル位置から次の位置に移動しながらその第１の基地局送受信装置１７'との交信を継続する一方、システム１５の中の他の基地局送受信装置１９'，２１'，２３'からの送信信号の分析を行う。この段階では移動加入者局２５と基地局１７'との間の通信チャンネル一つだけが設定されている。
【００１５】
この移動加入者局ユニット２５はそのユニット２５の交信範囲内にある基地局１７'，１９'，２１'，２３'ほかからの送信も絶えず受信している。移動加入者局ユニット２５は所要送信電力をより低くできる通信リンクを見出すように継続してサーチすることもでき、また作動中の通信リンクへの送信電力が最大値近傍の閾値に接近したときだけサーチすることもできる。移動加入者局リンク２５が通信リンクを新たに設定するには切換え先候補の基地局送受信装置とまず同期しなければならない。すなわち、移動加入者局ユニット２５は自局発生疑似ランダム符号を切換え先候補基地局から受信した位相偏移符号と位相合わせして同期をとらなければならない。切換え先候補基地局からの送信には、短符号が含まれる。この短符号は、同期の位相ずれを判定するためにその基地局の送受信装置から送信され、ユニット２５によって使用される。ユニット２５は基地局から伝送されてきた大域パイロット信号の複製をローカルに発生する。次に、ユニット２５は受信したこのパイロット信号とこの大域パイロット符号の複製との相関をとる。受信したパイロット信号とローカルに発生したパイロット信号との位相が一致すれば符号位相が見出され、見出されない場合はユニット２５はローカルに発生した符号の位相を変えて一致が見出されるまでサーチを続ける。移動加入者局ユニット２５はメモリに蓄積された大域符号シード組からサーチを行い、上記受信パイロット符号が大域符号シードの一つに合致するか否かを判定する。移動加入者局ユニット２５のメモリは小さい「隣接局リスト」だけを蓄積してもよく、またシステム１５で用いられる大域符号全部を蓄積してもよい。図２に示すとおり、隣接局リストには第１層の六つのセル１９，２１，２３，２７，２９，３１および第２層の１２のセル３３，３５，３７，３９，４１，４３，４５，４７，４９，５１，５３，５５を含めることができる。この隣接局リストは切換え元の基地局にもっとも近接する通常１８の大域符号を含む。すなわち、移動加入者局ユニット２５はこれらセルの一つに移動する可能性がもっとも大きいからである。
【００１６】
大域符号シードは基地局に割り当てられており、基地局のサービスエリアで大域チャンネルの拡散に用いられる。基地局には割当てシード発生用の一次シードも付与されている。これら割当てシードは基地局と移動加入者局ユニットとの間の個々のリンクに割り当てられ、割当てチャンネルの拡散に用いられる。大域符号シードは移動加入者局ユニット２５の各々で予めプログラムされる。移動加入者局ユニット２５はシステム１５内の各基地局から一斉送信される更新リストを定期的に受信することによって大域符号シードを取得することもできる。
【００１７】
移動加入者局ユニット２５は複数の他の基地局から送信されてきた複数の短符号も受信し、それら基地局からの大域パイロット信号の捕捉の高速化に用いる。移動加入者局ユニット２５は各基地局から一斉送信されてきた短符号のチェックによって一致を見出すまでメモリ内のすべての大域符号シードを継続的にサーチする。移動加入者局ユニット２５はセル対応の大域符号の判定に短符号を調べるだけでよい。移動加入者局ユニット２５が短符号を認識しなかった場合は、その基地局と同期をとるための試行を中断してもう一つの受信符号を調べる。
【００１８】
移動加入者局ユニット２５と切換え先候補基地局との間で後述の同期確保が達成された場合は、移動加入者局ユニット２５は送信電力レベルを徐々に上げながらもう一つのシンボル長の短符号を送信する。移動加入者局ユニット２５は切換え先候補基地局からの確認信号、すなわちその基地局が短符号を受信してその受信を確認したか否かを判定するための「交通信号」として作用する確認信号をモニタする。送信電力レベルを徐々に上げていく動作は二つの状態、すなわち(1)上記短符号送信電力レベルが切換え元基地局へのパイロット信号電力レベルに比べて有限時間にわたり所定の切換差の範囲内にある、および(2)切換え先候補基地局が短符号の検出を確認し上記交通信号により移動加入者局ユニット２５に通知する、のいずれかに到達すると停止する。切換え元リンクと切換え先候補リンクとの間の電力レベルの切換差は両送信電力値が互いに近接している場合に両基地局間で生ずる切換え往復繰返しを防ぐためのものである。短符号送信に切換え前パイロット信号電力レベルよりも高い送信電力を要する場合はハンドオフは行わない。
【００１９】
ハンドオフ処理は基地局が互いに同期していることを必要としない。しかし、基地局が互いに同期していれば移動加入者局ユニット２５には切換え先候補基地局の検出およびその基地局への同期が容易になる。基地局相互間が同期していない場合は、基地局は大域パイロット信号に加えて短い同期符号を送信する。移動加入者局ユニット２５はその短い同期符号をまず捕捉して位相情報を大域パイロット信号の捕捉の高速化に用いるという多段階捕捉処理を行う。基地局相互間が同期しているシステムでは上記短い同期符号は不要であり、隣接セル基地局からのパイロットどうしの間の相対位相差は小さいので、移動加入者局ユニット２５は大域パイロット信号を急速に捕捉する。
【００２０】
図３、図４および図５Ａ−５Ｂを参照すると、相互間同期基地局および非同期基地局の両方について、この発明の好ましい実施例の方法を図解した流れ図が示してある。個々のセルの基地局送受信装置が互いに同期している場合（図３、図５Ａ−５Ｂに示すとおり）は、処理１５は交信範囲内のセル基地局送受信装置から一斉送信されてきた短符号の系列の受信から始まる（ステップ101）。移動加入者局ユニット２５の各々の内部に蓄積されている大域符号シード組（ステップ103）を短符号の発生に用い、切換え先候補セル基地局からの一斉送信による受信短符号と比較する（ステップ105a）。移動加入者局ユニット２５は、切換え前通信リンクを維持しながら、10ms以下で切換え先候補基地局送受信装置からの大域パイロット信号を捕捉できる。非同期の切換え先候補セル基地局送受信装置からのパイロット信号の捕捉には３秒近くを要することもある。非同期基地局の場合の捕捉所要時間は長すぎるので、最短時間内の同期達成のために多段階サーチを行う。
【００２１】
基地局相互間が非同期の場合（図４、図５Ａ−図５Ｂに示すとおり）は、移動加入者局ユニット２５（ステップ101）は蓄積された大域符号シードから発生した短符号（ステップ103）を切換え先候補セル基地局からの一斉送信による受信短符号と比較する。移動加入者局ユニット２５は特定セルで作動中の基地局送受信装置所属の短符号との一致が見出されるまで大域符号シードの蓄積された組をサーチする（ステップ105b）。移動加入者装置ユニット２５が一斉送信短符号と一致するものを見出せない場合は（ステップ107）、上記特定の基地局からの短符号で継続することを止めてもう一つの基地局からのものについて試行する。
【００２２】
一致が見出された場合は（ステップ107）、移動加入者局ユニット２５は高速一斉送信チャンネルを捕捉するようにサーチを行う（ステップ111）。移動加入者局ユニット２５は上記短い同期符号から得た位相情報を用いて大域パイロット信号の位相不明確性を解消し、高速一斉送信チャンネルを決める。このサーチが不首尾であった場合（ステップ113）は、移動加入者局ユニット２５はもう一つの大域符号シードを試行する（ステップ109）。移動加入者局ユニット２５は大域パイロット信号捕捉のためにサーチを再び行う（ステップ115）。大域パイロット信号を上記短同期符号から捕捉できなかった場合（ステップ117）は、もう一つの大域符号シードを試行する（ステップ109）。
【００２３】
移動加入者局ユニット２５が同期または非同期の切換え先候補セル基地局送受信装置対応の大域パイロット信号を捕捉すると（ステップ117）、そのユニット２５は送信電力レベルを徐々に上げながら１シンボル長の短符号を切換え先候補の基地局に送信する（ステップ119）。送信出力電力漸増の際に、移動加入者局ユニット２５は送信電力をモニタ（ステップ121）するとともに切換え先候補基地局からの逆交通信号をモニタして（ステップ123）、切換え先候補基地局送受信装置が上記１シンボル長の短符号を受信して確認したか否かを判定する。移動加入者局ユニット２５からの短符号の送信は、上記短符号の送信が両通信リンクの電力レベルの比較による所定の切換え差の範囲内にある場合、または切換え先候補セル基地局送受信装置が短符号の検出を上記交通信号の観測により確認した場合（ステップ123）は停止する。
【００２４】
移動加入者局ユニット２５が隣接セル符号リストでなく大域符号リスト全体を維持してサーチすると、サーチ対象の符号が近傍基地局に属するものでないことがしばしばある。例えば、大域符号は全体で64個あるが、移動加入者局ユニットが受信するのはそれらのうち近接基地局からのいくつかの符号に留まる。
【００２５】
ハンドオフする旨の決定はハンドオフ期間中の所要回線容量が従来技術文献記載の方法よりも小さい移動加入者局ユニット２５で制御する。ハンドオフの決定は移動加入者局ユニット２５で決定するので、システム１５は従来技術の場合のように固定的でない。システム１５は個々のセル内の無線回線の容量に応じて変動するセル境界について柔軟である。
【００２６】
移動加入者局ユニット２５は通信リンクの維持のために自局からの送信電力が最小となるセル基地局とのリンクを確立する。移動加入者局ユニット２５は選んだ切換え先候補セル基地局に長いアクセスパイロット信号、すなわち無線分配ユニットに伝達される命令を含むアクセスパイロット信号を送る（ステップ125）。無線分配ユニットは各移動加入者局ユニットの現在の交信相手の基地局を記録している。また、無線分配ユニットは、加入者局ユニットユーザがセル境界を越えるに伴って有線電話回線から最適セル基地局送受信装置に至る通信リンクを経路付与する。送信されてきたメッセージはハンドオフを表示する。
【００２７】
この短い期間のあいだ移動加入者局ユニット２５は切換え元セル基地局送受信装置に依然として無線接続されている（ステップ127）。切換え元セル基地局送受信装置への通信リンクは移動加入者局ユニット２５の送信電力を制御する。一方、切換え先候補セル基地局送受信装置も送信電力制御コマンドを送信している。この切換え先候補セル基地局送受信装置からの送信電力制御コマンドはその候補通信リンクに応じて移動加入者局ユニット２５の送信電力を低下させる。移動加入者局ユニット２５は切換え元セル基地局送受信装置への通信リンクを放棄してそれまでの切換え先候補セル基地局送受信装置との通信リンク、すなわち新たな唯一の通信リンクからの送信電力制御を受け交信を行う（ステップ131）。
【００２８】
この方法を組み入れたシステムを図６に示す。上述のとおり、この方法は二つの互いに別個の通信リンク、すなわち(1)新たな切換え先候補基地局６１ａ，６３ａをサーチする代替の通信リンク、および(2)切換え元通信リンク６１ｂ，６３ｂを必要とする。移動加入者局ユニット２５は少なくとも二つの互いに異なるチャンネルで逆拡散（６７ａ，６７ｂ）できる受信機６５を含む。これら逆拡散器６７ａ，６７ｂと関連した少なくとも二つのチャンネルを拡散（７１ａ，７１ｂ）できる送信機６９を対称的に備える。切換え元通信リンクを維持しながら、移動加入者局ユニット２５は７３の切換え先候補基地局から一斉送信を受ける。
【００２９】
この発明はシームレスハンドオフ処理符号をROM７５に蓄積し、逆拡散器６７ａ，６７ｂおよび拡散器７１ａ，７１ｂ制御用の高速マイクロプロセッサ７７でそれら符号を処理し、隣接セルサイトの大域符号シードの蓄積および読出しをRAM７９から行って代替通信リンクを絶えず捕捉できるようにする。
【００３０】
切換え元通信リンク６１ｂ，６３ｂはこの発明の範囲外の音声処理８１を含む。マイクロプロセッサ７７は切換え先候補基地局からの応答符号の監視および送信電力漸増期間中の送信電力比較のために受信機６５および送信機６９に問合せ８３，８５を送る。この処理はROM７５に予めプログラムされており、移動加入者局ユニット２５の作動中はマイクロプロセッサ７７に絶えずロードされそこで実行される。より低い送信電力で十分な通信リンクが見出された場合は、マイクロプロセッサ７７は代替リンク６１ａに切り換えて、定常音声およびデータ伝送を維持し二つの同時並行データ通信を防止する。
【００３１】
移動加入者局ユニット２５は送信電力をより低くできる通信リンクを探索し、有望な通信リンクを切換え元通信リンクと絶えず比較している。この過程で二つの通信リンクが同時に設定されてデータ伝送を継続することはない。切換え元セル基地局送受信装置と切換え先候補セル基地局送受信装置との間の切換えは瞬時に行われる。
【００３２】
上述のとおり、この実施例はセクタセル構成でないセルラー通信網を対象としている。セル基地局数の実効的倍加を伴うセクタセルを用いる場合は、この発明のハンドオフ方法をより短い時間内に実行しなければならない。同一セルのセクタ内でハンドオフを行う場合は、各セル内の互いに異なるセクタを構成する基地局を同期させて有限範囲のサーチ処理を行う。大域符号の各々の一部をサーチし、次の段階でその大域符号全体におよぶ広範囲サーチを行う。これによって、移動加入者局ユニット２５はより短時間で切換え先候補基地局を捕捉できる。
【００３３】
この発明を好ましい実施例について上に説明してきたが、請求の範囲記載のこの発明の範囲内で上記以外の種々の変形が可能であることは当業者には明らかであろう。
【図面の簡単な説明】
【００３４】
【図１】この発明を組み入れたハンドオフシステムを示す図である。
【図２】この発明を組み入れたハンドオフシステムを示す図である。
【図３】この発明を実施したハンドオフ方法の同期時における流れ図である。
【図４】この発明を実施したハンドオフ方法の非同期時における流れ図である。
【図５Ａ】この発明を実施したハンドオフ方法の流れ図である。
【図５Ｂ】この発明を実施したハンドオフ方法の流れ図である。
【図６】この発明のシステムおよび方法を採用した移動加入者局ユニットを示す図である。
【符号の説明】
【００３５】
１５  マルチセルラー通信システム
１７，１９，２１，２３  セル
１７'，１９'，２１'，２３'  基地局
２５  移動加入者局ユニット
２７，２９，３１，３３，３５，３７，３９，４１，４３，４５，４７，４９，５１，５３，５５  セル
６５  受信機
６７ａ，６７ｂ  逆拡散器
６９  送信機
７１ａ，７１ｂ  拡散器
７３  切換え先候補基地局
７５  ROM
７７  マイクロプロセッサ
７９  RAM
８１  音声処理
【図１】
2008029023.tif 000003
【図２】
2008029023.tif 000004
【図３】
2008029023.tif 000005
【図４】
2008029023.tif 000006
【図５Ａ】
2008029023.tif 000007
【図５Ｂ】
2008029023.tif 000008
【図６】
2008029023.tif 000009